(57)【要約】一態様によれば、少なくとも１つのエネルギ貯蔵装置の動作を調整する必要性を示す、２以上の調整システムからの制御信号をモニタし、前記複数の制御信号を電流値に変換し、前記複数の制御信号を比較し、最小電流値を有する１つの制御信号を選択し、インターネットベース通信により調整信号を送信することにより、選択に基づいて、前記エネルギ貯蔵装置の前記電流を調整するように構成された、少なくとも１つの制御デバイスの動作を制御する、ように構成されたコンピュータデバイスが提供される。【選択図】図１、図５
2021516941.tif 000002
【特許請求の範囲】
【請求項１】
少なくとも１つのエネルギ貯蔵装置の動作を調整する必要性を示す、２以上の調整システム（１０２、Ａ、B、５０２、７１２）からの複数の制御信号をモニタし、
前記複数の制御信号を電流値に変換し、
前記複数の制御信号を比較し、最小電流値を有する１つの制御信号を選択し、
インターネットベース通信により、調整信号を送信することにより、前記選択に基づいて、前記エネルギ貯蔵装置の前記電流を調整することにより構成された、少なくとも１つの制御デバイスの動作を制御する、
ように構成されたコンピュータデバイス（１００，２００，５００，７００）。
【請求項２】
前記コンピューティングデバイスは、
２以上の調整システムから、前記複数の制御信号を受信し、
前記受信した複数の制御信号をメモリ（７０４）に記憶し、
複数のアクティブ制御信号のみを含むように前記記憶された情報を更新する、
ように前記複数の制御信号をモニタするように構成された、請求項１に記載のコンピュータデバイス。
【請求項３】
前記コンピューティングデバイスは、従前に受信した複数の制御信号を、それぞれの新しい制御信号と交換することにより、前記記憶された情報を更新するように構成される、請求項２に記載のコンピュータデバイス。
【請求項４】
前記コンピューティングデバイスは、対応する行為時間が満了すると、前記制御信号を、前記メモリから除去することにより、前記記憶された情報を更新するように構成される、請求項２に記載のコンピュータデバイス。
【請求項５】
前記コンピューティングデバイスは、キャンセル信号に応答して、前記制御信号を除去することにより、前記記憶された情報を更新するように構成された、請求項２に記載のコンピュータデバイス。
【請求項６】
前記コンピューティングデバイスは、前記複数の制御信号を、制御デバイス固有リストに記憶するように構成された、請求項１乃至５のいずれか一項に記載のコンピュータデバイス。
【請求項７】
各グループが、前記エネルギ貯蔵装置の前記電流を調整するように構成された、複数のグループを決定し、
前記複数のグループのどのグループが、各受信した制御信号により影響を受けるかを決定し、
前記受信した複数の制御信号を、複数のグループ固有のリストに記憶し、
各グループ固有リスト内の前記複数の制御信号を比較し、最小電流値を選択し、
前記比較に従って各制御デバイスの動作を制御する、
ようにさらに構成された、請求項１乃至６のいずれか一項に記載のコンピュータデバイス。
【請求項８】
前記調整信号は、前記電流値に従って充電値を調整するか、または前記電流値に従って、放電値を調整するためのコマンドを備えた、請求項１乃至７のいずれか一項に記載のコンピュータデバイス。
【請求項９】
前記制御信号は、動的負荷管理、最大静電流、周波数制御、需要応答、電力需給状態、または建物エネルギ管理の少なくとも１つに基づいて調整要求を備えた、請求項１乃至８のいずれか一項に記載のコンピュータデバイス。
【請求項１０】
前記コンピュータデバイスはさらに、
前記複数の制御信号に対する優先順位を決定し、
前記決定された優先順位に基づいて、前記複数の制御信号を優先順位グループにグループ化し、
最優先グループ内の複数の前記電流値を複数のアクティブ制御信号と比較する、
ように構成された、請求項１乃至９のいずれか一項に記載のコンピュータデバイス。
【請求項１１】
前記コンピュータデバイスは、
前記コンピュータデバイスの動作を制御するように構成された少なくとも１つのプロセッサ（７０２）と、
前記少なくとも１つの制御デバイスと通信するように構成された制御通信モジュール（７０６）と、
前記少なくとも１つのプロセッサおよび前記通信モジュールと結合され、前記少なくとも１つのプロセッサにより実行されると、前記デバイスに前記制御動作を実行させるプログラム命令を記憶するように構成された少なくとも１つのメモリと、
を備えた、請求項１乃至１０のいずれか一項に記載のコンピュータデバイス。
【請求項１２】
前記インターネットベース通信は、オープンチャージポイントプロトコル（ＯＣＰＰ）、オープンスマートチャージングプロトコル（ＯＳＣＰ）、および異なる製造業者のプロトコルの、少なくとも１つを含む請求項１乃至１１のいずれか一項に記載のコンピュータデバイス。
【請求項１３】
エネルギ管理のための方法において、
少なくとも１つのエネルギ貯蔵装置の動作を調整する必要性を示す、２以上の調整システムからの複数の制御信号を、モニタするステップ（３００，４００，６００）と、
前記複数の制御信号を、電流値に変換するステップ（３０２、４０２、６０２、６０４）と、
前記複数の制御信号を比較し、最小電流値を有する制御信号を選択するステップ（３０４，４０４，６０６）と、
インターネットベース通信により調整信号を送信することにより、前記選択に基づいて前記エネルギ貯蔵装置の前記電流を調整するように構成された、少なくとも１つの制御デバイスの動作を制御するステップ（３０６，３０８、４０６，６０８）と、を備えた方法。
【請求項１４】
少なくとも１つの処理ユニットにより実行されると、前記少なくとも１つの処理ユニットに、請求項１３の方法を実行させるプログラムコードを備えたコンピュータプログラム。
【請求項１５】
前記コンピュータプログラムは、コンピュータ可読媒体上に具現化される、請求項１４に記載のコンピュータプログラム。
【発明の詳細な説明】
【技術分野】
【０００１】
この出願は、エネルギ管理の分野に関し、特に、電気エネルギ貯蔵装置の電力の制御に関する。
【背景技術】
【０００２】
バッテリシステムのようなエネルギ貯蔵装置は、エネルギを蓄えるために使用することができる。貯蔵されたエネルギは、例えば、グリッドから充電することができる。一般に、いくつかのシステムは、異なるビジネスルールに基づいてエネルギ貯蔵装置の充放電を調整することができる。さらに、複数の関係者またはシステムは、彼らの関心に応じて、エネルギ貯蔵の電力を、同時に制御することを望む場合がある。複数のシステムが、異なる調整を要求するとき、適切な調整を行うことができない場合がある。特許公報ＥＰ  ３０２９７９５  Ａ１は、背景を理解するのに有用であると見なされ得る情報を開示している。
【発明の概要】
【０００３】
この概要は、詳細な説明で、以下にさらに説明する、概念の選択を簡略化した形式で紹介するために提供される。この概要は、請求された主題の主要な特徴、または本質的な特徴を、特定することを意図しておらず、請求された主題の範囲を、限定するために使用されることも意図していない。
【０００４】
この発明の目的は、例えば、複数の独立した制御システムから同時に来る、複数の信号に基づいて、エネルギ貯蔵装置の充放電電流を制御するための解法を、提供することである。この実施形態は、制御が単一システムにより制御されるので、互いに気づかない可能性があり、互いに、同時にかつ独立して、同一のエネルギ貯蔵装置を制御することを要求する可能性がある、多くの完全に独立した調整システムが存在することができるという点において、有利である。例えば、複数の調整コマンドをエネルギ貯蔵装置、またはそれらの制御デバイスに送信する代わりに、調整コマンドをモニタリングし、各制御デバイスおよびそれぞれのエネルギ貯蔵装置に、単一の調整信号を送信するための、単一コンピュータデバイスが提供される。このコンピュータデバイスは、受信した信号を電流値に変換し、この値を比較して、最も小さな値を有する信号を選択するように構成される。それゆえ、エネルギ貯蔵装置の動作の調整を行いながら、安全面を考慮に入れることができる。
【０００５】
第１の態様によれば、エネルギ管理のためのコンピュータデバイスが提供される。コンピュータデバイスは、少なくとも１つのエネルギ貯蔵装置の動作を調整する必要性を示す、２つ以上の調整システムからの制御信号をモニタし、制御信号を電流値に変換し、制御信号を比較して最も小さな電流値を有する制御信号を選択し、インターネットベースの通信により、調整信号を送信することにより、選択に基づいてエネルギ貯蔵装置の電流を調整するように構成された、少なくとも１つの制御デバイスの動作を制御する、ように構成される。提供されるコンピュータデバイスは、すべての制御要求を考慮しながら、安全を確保するために、最適な信号が選択されるように、複数の信号に基づいて、エネルギ管理を行うことができる。さらに、異なる調整システムからの各制御信号は、比較のために電流値に変換されるので、デバイスは、異なる制御ロジックに基づく可能性があり、１つのエネルギ貯蔵装置、または複数のエネルギ貯蔵装置を制御するために、異なる種類の表示を使用する可能性がある、多種多様な制御信号を考慮することができる。
【０００６】
一実施形態において、コンピューティングデバイスは、２以上の調整システムから制御信号を受信するように制御信号をモニタし、受信した制御信号をメモリに記憶し、記憶した情報を更新して、唯一のアクティブな制御信号を構成するように構成される。この実施形態は、制御要件の最新のモニタリングを可能にすることができる。
【０００７】
一実施径形態において、コンピューティングデバイスは、従前に受信した制御信号を、それぞれの新しい制御信号と交換することにより、記憶した情報を更新するように構成される。この実施形態は、調整要件を最新に維持することを可能にする。
【０００８】
一実施形態において、コンピューティングデバイスは、対応する活動時間が満了すると、制御信号をメモリから除去することにより、記憶した情報を更新するように構成される。この実施形態は、調整要件を最新のもの維持することが可能である。
【０００９】
一実施形態において、コンピューティングデバイスは、キャンセル信号を受信することに応答して、制御信号を除去することにより、記憶した情報を更新するように構成される。この実施形態は、調整要件を最新のものに維持することが可能である。
【００１０】
一実施形態において、コンピューティングデバイスは、制御信号を制御デバイス特有のリストに記憶するように構成される。従って、各エネルギ貯蔵装置の充放電電流は、個別に制御することができる。
【００１１】
一実施形態において、さらに、又は代わりに、コンピュータデバイスは、さらに、各グループが、エネルギ貯蔵装置の電流を調整するように構成された、少なくとも１つの制御デバイスを備えた複数のグループを決定し、複数のグループのうちどのグループが、各受信した制御信号により影響を受けるかを決定し、受信した制御信号をグループ固有のリストに記憶し、各グループ固有のリスト内の複数の制御信号を比較し、比較に従って各制御デバイスの動作を制御する、ようにさらに構成される。この実施形態は、各制御デバイスおよび、それぞれのエネルギ貯蔵装置の電流を制御する際のグループ固有の制御要件を考慮することを可能にする。
【００１２】
一実施形態において、さらに、または代わりに、調整信号は、電流値に対する充電値、または電流値に対する放電値を調整するためのコマンドを備える。従って、コンピュータデバイスは、エネルギ消費とエネルギ供給の両方を制御することができる。
【００１３】
一実施形態において、さらに、または代わりに、制御信号は、動的負荷管理、静的最大電流、周波数制御、需要応答、電力需要給状態、または建物エネルギ管理の少なくとも１つに基づいた調整要求を含む。従って、コンピュータデバイスは、複数のソースからのエネルギ管理要求を考慮することができる。
【００１４】
一実施形態において、さらに、または代わりに、コンピュータデバイスは、さらに、制御信号の優先順位を決定し、決定された優先順位に基づいて、複数の制御信号を優先順位グループにグループ化し、最優先グループ内の電流値を、実際の制御信号と比較する、ように構成される。
【００１５】
一実施形態において、コンピュータデバイスは、コンピュータデバイスの動作を制御するように構成された少なくとも１つのプロセッサと、少なくとも１つの制御デバイスと通信するように構成された通信モジュールと、少なくとも１つのプロセッサと通信モジュールに結合され、少なくとも１つのプロセッサにより実行されると、デバイスに制御動作を行わせるプログラムを記憶するように構成されたメモリと、を備える。
【００１６】
一実施形態において、インターネットベースの通信は、オープンチャージポイントプロトコル（ＯＣＰＰ）、オープンスマートチャージングプロトコル（ＯＳＣＰ）、および異なる製造業者のプロトコルの少なくとも１つを備える。従って、複数のエネルギ貯蔵装置の動作は、それらの場所や製造業者に関係なく、広範囲に制御することができる。
【００１７】
第２の態様によれば、エネルギ管理のための方法が提供される。この方法は、少なくとも１つのエネルギ貯蔵装置の動作を調整する必要性を示す、２以上の調整システムからの制御信号をモニタリングすることと、制御信号を電流値に変換することと、制御信号を比較して、最小電流値を有する制御信号を選択することと、インターネットベース通信により、調整信号を送信することにより、選択に基づいてエネルギ貯蔵装置の電流を調整するように構成された、少なくとも１つの制御デバイスの動作を制御することと、を備える。この方法は、例えば、複数の異なる調整システムから同時に来る、複数の信号に基づいてエネルギ管理を可能にすることができる。
【００１８】
第３の態様によれば、少なくとも１つの処理ユニットにより実行されると、少なくとも１つの処理ユニットに第２の態様に従う方法を実行させるプログラムを含むコンピュータプログラムが提供される。一実施形態において、コンピュータプログラムは、コンピュータ可読媒体に具現化される。
【００１９】
付随する特徴の多くは、添付の図面に関連して考慮される、以下の詳細な説明を参照することによって、より良く理解されるようになるにつれて、より容易に理解されるであろう。本説明は、添付の図面に照らして読まれる以下の詳細な説明からより良く理解されるであろう。
【図面の簡単な説明】
【００２０】
【図１】一実施形態に従うエネルギ管理システムのブロック図の概略図を示す。
【図２】一実施形態に従う例示エネルギ管理システム構成のブロック図の概略図を示す。
【図３】一実施形態に従うエネルギ管理のフロー図の概略図を示す。
【図４】制御信号が等しいときのエネルギ管理のフロー図の概略図を示す。
【図５】優先順位グループを有するエネルギ管理システムのブロック図の概略図を示す。
【図６】制御信号が優先順位を有するときのフロー図の概略図を示す。
【図７】一実施形態に従うエネルギ管理のためのコンピュータデバイスのブロック図の概略図を示す。
【発明を実施するための形態】
【００２１】
添付図面に関連して以下に提供される詳細な記述は、実施形態の記述として意図したものであり、この実施形態を構成する、あるいは利用する唯一の形態を表すことを意図したものではない。しかしながら、同一または等価な機能および構造を異なる実施形態により成就することができる。
【００２２】
一実施形態によれば、コンピュータサーバは、エネルギ貯蔵装置の充放電電力を制御することができる。充放電電力制御は、調整システムから受信した比較制御信号に基づくことができる。制御信号の最適なオプションは、最小電流値を要求する信号を見つけるように、比較により選択することができる。各エネルギ貯蔵装置の充放電電力は、この選択により調整することができる。
【００２３】
各エネルギ貯蔵装置は、エネルギ貯蔵装置の電流を制御するように構成された、制御デバイスを備える。制御デバイスは、さらに通信モジュールを備えることができる。コンピュータサーバは、インターネットによりモジュールと通信する。これは、無線または有線通信であり得る。コンピュータサーバは、クラウドで動作することができる。コンピュータサーバは、種々のプロトコルを用いて通信モジュールと通信するように構成される。従って、制御デバイスとそれぞれのエネルギ貯蔵装置は、異なる製造業者により、製造することができる。通信は、例えば、電気自動車充電ステーション、電気自動車充電プロトコル、または充電ステーションの製造業者特有のプロトコルである、制御デバイスに基づくことができる。代わりに、またはさらに、制御デバイスは、グリッドへの接続を有する、固定エネルギ貯蔵装置に配置することができる。固定エネルギ貯蔵装置は、例えば、再生可能エネルギ源で生成されたエネルギを貯蔵するように構成された、エネルギ貯蔵装置を指すことができる。
【００２４】
図１は、一実施形態に従うエネルギ管理システムのブロック図の概略図を示す。エネルギ管理プラットフォーム１００は、複数の信号に基づいて制御デバイス１０６の電流を制御することができる。複数の信号が、複数の独立した制御システムから同時に来ることができる。
【００２５】
エネルギ管理プラットフォーム１００は、エネルギ貯蔵装置の電流を調整するように構成された、１つまたは複数の制御デバイス１０６の動作を制御することができる。制御は、２以上の調整システム１０２から受信した複数の制御信号に基づくことができる。調整システム１０２は、互いに独立であり得る。単一のエネルギ貯蔵装置は、複数の独立した調整システム１０２により、同時に制御することができる。各調整システム１０２は、個々のルール及びロジックに基づいて、エネルギ貯蔵装置の動作を調整するための要求を示す、制御信号を送信することができる。一例として、１つの調整システム１０２は、電力供給網状態に基づいて、制御信号を送信することができ、別の調整システムは、例えば、電気自動車の充電要求に基づいて、制御信号を送信することができる。エネルギ貯蔵装置の動作を制御する、１つの調整システムの代わりに、エネルギ管理プラットフォーム１００は、独立した調整システムから同時に来る複数の信号に基づいて動作を制御することができる。従って、単一のオペレータの関心に基づく制御の代わりに、複数のオペレータ／システムの要求を同時に考慮しながら、安全面に基づいた制御を行うことができる。一実施形態において、エネルギ管理プラットフォーム１００は、複数の制御デバイス１０６の電流を制御する。エネルギ管理プラットフォーム１００は、複数の制御デバイス１０６を、１つまたは複数の制御デバイスグループ１０４にグループ化するように構成することができる。異なるグループの電流を制御することは、調整システム１０２から受信した異なる信号に基づくことができる。エネルギ管理プラットフォーム１００は、コンピュータサーバであり得る。コンピュータサーバは、無線または有線手段を用いて、信号を受信および送信するように構成することができる。制御デバイス１０６は、例えば、固定エネルギ貯蔵装置、または電気自動車のバッテリを充放電するように構成された電気自動車充電ステーションのコンポーネントであり得る。調整システム１０２は、グリッドを監視するグリッドオペレータ、建物エネルギ管理システム、安全機器、または動的負荷管理システムのようなシステムまたは機器の状態、または安全性をモニタリングするエンティティを指すことができる。調整システム１０２は、オペレータにより自動的に、または手動で信号を送信することができる。制御信号は、任意の種類の調整システム１０２から受信することができ、制御コマンドは、電流値、電流の増減要求、または調整システム１０２により使用される、任意の他の表示のような任意の形態であり得る。調整システム１０２から受信した制御シグナリングは、例えば、周波数制御、需要応答要求、需給状態表示、エネルギ貯蔵装置または制御デバイスの最大静電流、安全機器信号または建物エネルギ管理を含むことができる。コンピュータサーバは、異なる制御信号を電流値に変換することができるので、信号は、最小値を要求する信号を選択するように、比較することができる。
【００２６】
図２は、一実施形態に従う、例示エネルギ管理システム構成のブロック図の概略図を示す。この構成は、充放電電流の制御が複数の信号に基づく方法を示す。例示構成において、エネルギ管理プラットフォーム２００は、２つの調整システム、すなわち、調整システムＡおよび調整システムＢの信号をモニタすることができる。調整システムＡは、２つのグループ、グループＡ１およびグループＡ２を有する。グループＡ１を制御デバイスＡ、ＢおよびＣを含み、グループＡ２は、制御デバイスＤおよびEを含む。調整システムＢは、グループＢ１のみを有するが、グループは、すべての制御でバイスＡ、Ｂ、Ｃ、ＤおよびＥを備え、それは、また、調整システムＡのグループＡ１、Ａ２にも属する。
【００２７】
例えば、調整システムＡは、動的負荷管理システムＤＬＭであり得る。調整システムBは、周波数制御を指すことができる。一般的なシステムにおいて、制御デバイスＡ、Ｂ、Ｃ、ＤおよびＥは、異なることをするように要求する、両方の調整システムＡ、Ｂから制御信号を受信することができる。例えば、ＤＬＭは、グループＡ２内の制御デバイスに、充電電流を上げるように要求することができ、同時に周波数制御は、ブループＢ１の制御デバイスに、充電電流を下げるように信号を送ることができる。従って、制御デバイスは、どの信号に対して電流を調整するかによって判断を下すことができないか、あるいは、例えば、フューズまたはグリッドの過負荷につながる不適切な判断をする可能性がある。
【００２８】
図２に示す実施形態において、エネルギ管理プラットフォーム２００は、ＤＬＭおよび周波数制御信号を受信することができる。信号は、調整システムＡ、Ｂによって制御デバイスに直接送信することはできない。エネルギ管理プラットフォーム２００は、制御信号を電流値に変換するように構成することができる。例えば、周波数制御信号は、グループＢ２の制御デバイスに消費を抑えるように要求することができる。エネルギ管理プラットフォーム２００は、周波数制御信号を、最小充電電流値であり得る６Ａの値に変換することができる。同時に、ＤＬＭ信号は、制御デバイスに電流を１５Ａに上げるように要求する。次にエネルギ管理プラットフォーム２００は、電流値を比較し、最小値を選択する。より低い値は、何かを保護する必要性があることを示すことができる。例えば、上述の例では、周波数制御により要求された、より低い値は、例えば、DLMが充電電流を上げることができることを示していたとしても、グリッドの電力バランスおよび安定性を維持するのを助けるために、選択される。
【００２９】
図３は、一実施形態に従う、エネルギ管理のフロー図の概略図を示す。動作３００において、エネルギ管理プラットフォームは、エネルギ貯蔵装置の電流を変更することを要求するイベントをモニタする。イベントは、例えば、グリッドの負荷またはバランスを変更することに応答して、異なる調整システムから送信された制御信号を指すことができる。エネルギ管理プラットフォームは、制御信号を受信し、それらのメモリに記憶することができる。記憶された制御信号の数は、限定されず、エネルギ管理プラットフォームは、新しい調整システムから受信した信号を、連続的に追加することができ、エネルギ貯蔵装置のための制御コマンドを決定する際に、それらを考慮することができる。制御信号は、全てのアクティブ制御信号を含むリストとして記憶することができる。制御信号は、これ以上調整する必要が無いことを示すキャンセル信号のような、別の信号が、対応する調整システムから受信されるまで、アクティブであり得る。あるいは、制御信号は、特定の時間、例えば、一日、一時間、または１５分アクティブであってもよい。制御信号が、もはやアクティブでないとき、リストから除去することができる。さらに、または代わりに、調整システムは、異なる要求を有する、別の制御信号を送信することができ、調整システムからの先行する制御信号の値が、新しい制御信号の値に交換することができる。
【００３０】
動作３０２において、エネルギ管理プラットフォームは、受信した制御信号を電流値に変換する。例えば、信号は、電力市場をモニタする調整システムから受信することができる。消費と生産の状態は、電力価格を介して示すことができる。従って、電力価格が所定の閾値を超えると、電流を最小値に調整するための、信号を送信することができる。同様に、電力価格が所定の閾値を下回ると、電流を最大値に調整する信号を送信することができる。最小および最大値は、エネルギ管理プラットフォームによって決定することができ、受信した制御信号は、電流値に変換することができる。他の例として、調整システムは、グリッドオペレータのシステムであり得、それは、次の時間に生産を増大するか、または消費を低減するための制御信号を送信することができる。エネルギ管理プラットフォームは、制御信号を適切な電流値に変換し、さらに、制御信号により示された要求を満足するために、どの制御デバイスグループが影響を受けるかを、判断することができる。エネルギ管理プラットフォームは、種々の制御信号を考慮することができ、異なる調整システムにより使用される、制御表示の形態にもかかわらず、電流値に変換することができる。従って、各独立した調整システムは、固有の制御ロジックに基づいて、制御信号を送信することができ、プラットフォームは、エネル貯蔵装置の動作を制御するために、同時に複数のソースから来る異なる信号を考慮することができる。
【００３１】
動作３０４において、エネルギ管理プラットフォームは、どのグループが変更により影響を受けるかをチェックする。制御デバイスグループは、例えば、それらのロケーションに基づいて、同じ地区または国のすべての制御デバイスが、グループ化されるように決定することができる。さらに、グループは、同じフューズの背後にある全ての制御デバイスをグループ化するような、グループに関連した安全機器に従って決定することができる。単一の生後デバイスは、１つまたは複数のグループに属することができる。従って、１つの制御デバイスの調整は、複数の制御信号、例えば、制御デバイスがリンクされている建物のエネルギ管理システムから受信した信号、市街地のグリッド負荷に関連した制御信号、及び制御デバイスが位置している国の消費および生産バランスに依存することができる。
【００３２】
動作３０６において、エネルギ管理プラットフォームは、各制御デバイスのための電流調整信号を送信する。制御信号は、メモリのグループ特有リストに記憶することができる。さらに、制御信号は、制御デバイス固有リストに記憶することができる。単一制御デバイスの電流を変更する要求は、例えば、動的負荷管理の場合に、制御デバイスグループ内のすべての制御デバイスの電流に、影響を及ぼす可能性がある。エネルギ管理プラットフォームは、リスト内の複数の制御信号を比較し、各制御デバイス固有リスト内の最小値を選択することができる。その後、エネルギ管理プラットフォームは、選択された電流値に従って、各制御デバイスの調整信号を送信することができる。従って、各制御デバイスが、異なる関心を有する複数の調整システムからの制御信号を受信する代わりに、各制御デバイスは、エネルギ管理プラットフォームから、単一の調整信号を受信することができる。エネルギ管理プラットフォームは、すべての制御信号をモニタし、グループ毎および個々の制御デバイス毎に、最も適切な制御信号を実行する。動作３０８は、単一エネルギ貯蔵装置の電流が、送信された電流調整信号に従って、調整されるサブプロセスを示す。エネルギ管理プラットフォームは、種々のプロトコルを含むインターネットベース通信を用いて、制御デバイスと通信することができ、従って、エネルギ管理プラットフォームは、場所あるいはベンダに関係なく、複数の制御デバイスの動作を拡大して制御することが可能である。
【００３３】
図４は、制御信号が等しいときのエネルギ管理のフロー図の概略図を示す。これは、各制御信号が等しく取り扱われ、選択は、最小電流値により行われることを意味する。動作４００において、新しい調整コマンドが調整システムから受信される。例えば、特定の制御デバイスグループ内の制御デバイスの電流が、１１Ａに減少した可能性があることを示す、ＤＬＭ制御信号が受信された可能性がある。
【００３４】
動作４０２において、エネルギ管理プラットフォームは、制御信号を、全てのアクティブ制御信号を含むリストに追加する。リストがＤＬＭ信号を以前に含んでいなかった場合、それはリストに追加される。リストがすでにＤＬＭ信号を含んでいた場合、古い値は新しい値と交換される。さらに、１つまたは複数の以前の制御信号は、もはや有効でないので、破棄することができる。従って、リストは、アクティブ制御信号のみを含むように更新することができる。図４の図示例によれば、新しい制御信号を受信する前のリストは、ＤＬＭ信号（１６Ａ）、周波数制御信号（１０Ａ）、および最大静電流信号（３２Ａ）を含んでいる可能性がある。それゆえ、以前のＤＬＭ信号は、新しいものと交換することができ、リスト内の値は、１６Ａから１１Ａに減少する。例えば、アップまたはダウン、０または１などのように、アンペア以外の調整の必要性のための別の表示を用いて調整システムから制御信号が受信された場合、エネルギ管理システムは、制御信号を、リストに追加する前に電流値に変更した可能性がある。
【００３５】
動作４０４において、エネルギ管理システムは、現在最小電流値が何であるかをチェックする。図示例では、例えば、最新の調整制御信号がＤＬＭから来て、その値が１６Ａから１１Ａに減少したとしても、エネルギ貯蔵装置の動作を制御するために使用されない可能性がある。すべての制御信号の値が、エネルギ管理プラットフォームにより比較されると、周波数制御の電流値は、最小のままである。調整は、リスト上の最小値に従って、行うことができ、最新の調整の必要によってではない。
【００３６】
動作４０６において、調整は、各制御デバイスに送信される。調整信号は、各制御デバイスに送られ、充電電流を、周波数制御信号から変換された電流値に設定する。あるいは、調整信号は、放電電流を決定された値に設定するために、制御デバイスに送信することができる。従って、複数のエネルギ貯蔵装置の消費を制御することができることに加えて、複数のエネルギ貯蔵装置は、また、エネルギをグリッドに供給する単一のリソースとして使用することもできる。
【００３７】
図５は、優先順位グループを有するエネルギ管理システムのブロック図の概略図を示す。調整システムは、調整の必要性に優先順位を付けるために、優先順位グループにグループ化することができる。エネルギ管理プラットフォーム５００は、調整システム５０２、およびそれそれの制御信号の優先順位を決定するように構成することができる。例えば、制御信号は、２以上のグループ５０４に分割することができる。１つの調整システム５０２から受信した制御信号は、１つの優先順位グループ５０４に属することができる。あるいは、同じ調整システム５０２から受信した異なる制御信号は、異なる優先順位を持つことができる。エネルギ管理プラットフォーム５００は、制御デバイス５０８の動作を制御する際に、優先順位グループ５０２を考慮することができる。制御デバイス５０８は、制御デバイスグループ５０６として、グループ化することができる。単一制御デバイス５０８、制御デバイスグループ、または複数のグループ５０６の動作を調節することを要求するための、制御信号を調整システム５０２により送信することができる。
【００３８】
図６は、制御信号が優先順位を有するときのフロー図の概略図を示す。この実施形態において、調整信号の選択は、最優先グループ内の最小値に基づいて行われる。動作６００において、新しい調整コマンドが調整システムから受信される。調整システムは、１つまたは複数のエネルギ貯蔵装置の動作を制御する必要性を示す制御信号を、送信した可能性がある。エネルギ管理システムは、制御信号をモニタする。エネルギ管理システムは、また、各受信した制御信号の優先順位グループをチェックする。例えば、充電電流を１１Ａに設定することを要求するＤＬＭ信号を、受信した可能性がある。次に、エネル管理プラットフォームは、ＤＬＭ信号が最高の優先順位である、優先順位グループ１に属することをチェックする。
【００３９】
動作６０２において、受信した信号は、異なる調整システムからのすべての調整要求のリストに追加される。リストがすでにＤＬＭ信号を含む場合、古い信号が新しい信号と交換される。受信した制御信号が電流調節値を含んでいなかった場合、エネルギ管理プラットフォームは、信号を電流値に変換することができる。
【００４０】
動作６０４において、エネルギ管理システムは、どの値が最優先グループに属するかをチェックする。例えば、リストは、新しいＤＬＭ信号（優先順位グループ１、１１Ａ）、周波数制御信号（優先順位グループ１，１０Ａ）、需給状態信号（優先順位グループ２，６Ａ）および最大静電流（優先順位グループ１、３２Ａ）を備えた制御デバイス固有のリストであり得る。例において、ＤＬＭ、周波数制御、および最大静電流信号は、最優先グループに属する。残りの信号、需給状態表示信号は、より低い優先順位グループ２に属する。最優先グループ内の唯一のアクティブ信号は、考慮され、他の、より低い優先順位の信号は、その電流値が何であろうと、無視される。
【００４１】
動作６０６において、最優先グループ内の最小値が選択される。例えば、すべての制御信号の最小値が需給状態信号であっても、信号は優先順位グループ２に属する。最優先グループである、優先順位グループ１のアクティブ制御信号があるので、選択するとき、最優先グループ内の唯一の制御信号が考慮される。それゆえ、図６に示す例では、周波数制御信号は、最優先グループ内で最小値を有し、複数の値の比較に基づいて、それが選択される。最優先グループ１内にアクティブ信号が無い場合、選択は、最優先グループになる、次に低い優先順位グループ内で行われる。
【００４２】
動作６０８において、調整値は制御デバイスに送られる。エネルギ管理プラットフォームは、選択された電流値に従う調整信号を、電流を調整する要求があった各制御デバイスに送信することができる。
【００４３】
図７は、一実施形態に従うエネルギ管理のためのコンピュータデバイス７００のブロック図の概略図を示す。コンピュータデバイス７００は、インターネットベース通信により、少なくとも１つの制御デバイス７０８の充放電電流を制御するように構成される。各制御デバイス７０８は、エネルギ貯蔵装置の動作を制御するように構成される。コンピュータデバイス７００は、少なくとも１つのメモリ７０４と、通信モジュール７０６に接続された、少なくとも１つのプロセッサ７０２を含むことができる。少なくとも１つのメモリ７０４は、プロセッサ７０２、または複数のプロセッサにより実行されると、コンピュータデバイス７００にプログラムされた機能を、実行させる少なくとも１つのコンピュータプログラムを含むことができる。少なくとも１つのメモリ７０４は、また、２以上の調整システム７１２から受信した制御信号も記憶する。コンピュータデバイス７００は、制御信号をモニタし、それらを比較のために電流値に変換する。エネルギ管理は、クラウドから配信されることができる。少なくとも１つの制御デバイス７０８は、通信モジュール７１０を含むことができ、コンピュータデバイス７００は、通信モジュール７１０と通信するように構成することができる。制御デバイス７０８は、異なる製造業者からのものであってよい。制御デバイス７０８は、無線でコンピュータデバイス７００に結合することができ、コンピュータデバイス７００とは異なる場所に、配置することができる。従って、制御デバイス７０８とコンピュータデバイス７００との間の場所と距離は、制限されない。
【００４４】
コンピュータデバイス７００は、制御信号の最小値に従って、電流を増減することにより制御デバイス７０８の充放電電流を、制御することができる。コンピュータデバイス７００は、例えば、クラウドサーバ、または分散システムであり得る。インターネットベース通信システムは、オープンチャージポイントプロトコル（OCPP)、オープンスマートチャージングプロトコル（ＯＳＣＰ）、および／または充電ステーション製造業者固有のプロトコルを含むことができる。これは、充電電流をリモートで制御することを可能にし、それゆえ、追加のハードウェア、または新しい物理的インストレーションを必要としない。制御デバイスは、あるベンダまたはモデルと無関係であるので、電力需給は、より包括的に管理することができる。
【００４５】
ここに記載した機能性は、少なくとも一部分、ソフトウェアコンポーネントのような、１つまたは複数のコンピュータプログラムプロダクトコンポーネントにより、実行することができる。ここに与えられた任意の範囲、またはデバイスは、求められる効果を失うことなく、拡張または変更することができる。また、明示的に否定しない限り、任意の実施形態を他の実施形態に結合することができる。
【００４６】
主題は、構造的特徴および／または行為に固有の言語で説明されてきたが、添付の特許請求の範囲で定義される主題は、必ずしも上記の特定の特徴または行為に限定されないことを理解されたい。むしろ、上記の特定の特徴および行為は、特許請求の範囲を実施する例として開示されており、他の同等の特徴および行為は、特許請求の範囲内にあることが意図されている。
【００４７】
上述の利点および効果は、一実施形態に関係する場合もあれば、いくつかの実施形態に関係する場合もあることが理解されよう。実施形態は、述べられた問題のいずれか、またはすべてを解決するもの、または述べられた利点および効果のいずれかまたはすべてを有するものに限定されない。「１つの（ａｎ）」アイテムへの言及は、それらのアイテムのうちの１つまたは複数を指す場合があることがさらに理解されよう。「および／または」という用語は、それが接続するケースの、１つまたは複数が発生する可能性があることを示すために、使用される場合がある。両方、またはそれ以上の接続されたケースが発生するか、接続されたケースのどちらか一方のみが発生する可能性がある。
【００４８】
本明細書に記載される方法の操作は、任意の適切な順序で、または適切な場合には同時に実行され得る。さらに、個々のブロックは、本明細書で説明される主題の精神および範囲から逸脱することなく、方法のいずれかから削除されてもよい。上述の実施形態のいずれかの態様を、記載された他の実施形態のいずれかの態様と組み合わせて、求められる効果を失うことなく、さらなる実施形態を形成することができる。
【００４９】
「含む」という用語は、本明細書では、識別された方法、ブロックまたは要素を含むことを意味するが、そのようなブロック、または要素は排他的なリストを含まず、方法、または装置は追加のブロックまたは要素を含み得ることを意味する。
【００５０】
上記の説明は例としてのみ与えられたものであり、当業者によって様々な修正がなされ得ることが理解されるであろう。上記の仕様、例、およびデータは、例示的な実施形態の構造および使用の完全な説明を提供する。様々な実施形態を、ある程度の特殊性を用いて、または１つまたは複数の個別の実施形態を参照して、上記で説明したが、当業者は、本明細書の趣旨または範囲から逸脱することなく、開示された実施形態に多数の変更を加えることができる。
【図１】
2021516941.tif 000003
【図２】
2021516941.tif 000004
【図３】
2021516941.tif 000005
【図４】
2021516941.tif 000006
【図５】
2021516941.tif 000007
【図６】
2021516941.tif 000008
【図７】
2021516941.tif 000009
【国際調査報告】
2021516941.tif 000010
2021516941.tif 000011
2021516941.tif 000012